(57)【特許請求の範囲】
【請求項１】
配電用遮断器を有する複数の配電系統のそれぞれの供給電圧を監視する第一の監視装置と、解列用遮断器を介して前記複数の配電系統のそれぞれと繋がる発電設備の受電電圧を監視する第二の監視装置と、前記複数の配電系統のうちの何れかの配電系統の供給電圧が変化したときに、当該配電系統の供給電圧の変化量と発電設備の受電電圧の変化量とが対応していると当該配電系統に発電設備が連系していると識別する識別装置と、発電設備が連系していると識別されている配電系統の配電用遮断器が開いたことを検知したときに発電設備の解列用遮断器を開く遮断装置とを備えることを特徴とする転送遮断装置。
【請求項２】
遮断装置は、識別装置が発電設備と連系している配電系統を識別していないときに複数の配電系統の少なくとも一つの配電用遮断器が開くと、発電設備の解列用遮断器を開くようになっている請求項１に記載の転送遮断装置。
【請求項３】
識別装置によって発電設備が連系していると識別されている配電系統の配電用遮断器が開かれることで遮断装置が発電設備の解列用遮断器を開いたときに、発電設備に受電電圧が存在していると、発電設備の解列用遮断器を閉じる投入装置を備える請求項１又は２に記載の転送遮断装置。
【請求項４】
識別装置によって発電設備が連系していると識別されていない配電系統の配電用遮断器が開かれたときに、識別装置によって発電設備が連系していると識別されている配電系統の供給電圧の変化量と発電設備の受電電圧の変化量とが対応していなければ、発電設備の解列用遮断器を開く補助遮断装置を備える請求項１乃至３に記載の転送遮断装置。
【発明の詳細な説明】
【技術分野】
【０００１】
本発明は、発電設備を解列する転送遮断装置に関する。
【背景技術】
【０００２】
従来から、発電所で発電された電力は、発電所に接続される送電網と該送電網に接続される配電網とを通じて需要家に供給されている。
【０００３】
配電網は、配電用遮断器を有する配電系統が設けられている。さらに、配電網には、解列用遮断器を介して配電系統に繋がる発電設備が設けられることがある。このような配電系統では、発電設備が連系している配電系統の配電用遮断器が開いている状態において、発電設備が運転（所謂、単独運転）を継続すると、需要家に不安定な電力が供給されたり、配電用遮断器が開いているにも拘わらず配電系統が充電状態になることで感電事故が発生したりする虞がある。
【０００４】
このような問題点を解決するために、発電設備が単独運転を継続することを防止する転送遮断装置が提供されている（例えば、特許文献１参照）。
【０００５】
かかる転送遮断装置には、配電系統の配電用遮断器が開いたことを検知したときに、発電設備の解列用遮断器を開く遮断装置を備えているものがある。この種の転送遮断装置は、発電設備が連系している配電系統の配電用遮断器が開いたときに発電設備の解列用遮断器を開くことができるため、発電設備が単独運転を継続することを防止できるとされている。
【先行技術文献】
【特許文献】
【０００６】
【特許文献１】特開平０８−０１９１８２号公報
【発明の概要】
【発明が解決しようとする課題】
【０００７】
ところで、配電網では、配電系統が複数設けられるとともに、発電設備が複数の配電系統のそれぞれに繋がるように設けられることがある。このような場合、上述の転送遮断装置では、配電系統の配電用遮断器が開いたときに発電設備の解列用遮断器を開くことができないことがある。
【０００８】
より具体的に説明すると、上述の転送遮断装置では、複数の配電系統のそれぞれの状態を把握することができない。そのため、上述の転送遮断装置では、例えば、発電設備が連系する配電系統が切り替わると、発電設備が連系している配電系統の配電用遮断器の状態を把握することができず、配電系統の配電用遮断器の状態に対応させて発電設備の解列用遮断器を開くことができなくなることがある。
【０００９】
このようなことから、上述の転送遮断装置では、発電設備が複数の配電系統のそれぞれに繋がっている場合、発電設備が単独運転を継続することを防止できないことがあった。
【００１０】
本発明は、斯かる実情に鑑み、発電設備に複数の配電系統が繋がっていても、発電施設が単独運転を継続することを防止することのできる転送遮断装置を提供することを課題とする。
【課題を解決するための手段】
【００１１】
本発明に係る転送遮断装置は、配電用遮断器を有する複数の配電系統のそれぞれの供給電圧を監視する第一の監視装置と、解列用遮断器を介して前記複数の配電系統のそれぞれと繋がる発電設備の受電電圧を監視する第二の監視装置と、前記複数の配電系統のうちの何れかの配電系統の供給電圧が変化したときに、当該配電系統の供給電圧の変化量と発電設備の受電電圧の変化量とが対応していると当該配電系統に発電設備が連系していると識別する識別装置と、発電設備が連系していると識別されている配電系統の配電用遮断器が開いたことを検知したときに発電設備の解列用遮断器を開く遮断装置とを備えることを特徴とする。
【００１２】
上記構成の転送遮断装置によれば、配電用遮断器を有する複数の配電系統のそれぞれの供給電圧を監視する第一の監視装置と、解列用遮断器を介して前記複数の配電系統のそれぞれと繋がる発電設備の受電電圧を監視する第二の監視装置と、前記複数の配電系統のうちの何れかの配電系統の供給電圧が変化したときに、当該配電系統の供給電圧の変化量と発電設備の受電電圧の変化量とが対応していると当該配電系統に発電設備が連系していると識別する識別装置とを備えるため、発電設備に複数の配電系統が繋がっていたとしても、発電設備が連系している配電系統を識別することができる。
【００１３】
また、上記構成の転送遮断装置では、発電設備に連系していると識別されている配電系統の配電用遮断器が開いたときに、解列用遮断器を開く遮断装置を備えるため、発電設備が連系している配電系統の配電用遮断器が開いたときに、発電設備の解列用遮断器を開くことができる。従って、上記構成の転送遮断装置は、発電設備が連系している配電系統の配電用遮断器が開いている状態において、発電設備が運転（所謂、単独運転）を継続することを防止できる。
【００１４】
この場合、遮断装置は、識別装置が発電設備と連系している配電系統を識別していないときに複数の配電系統の少なくとも一つの配電用遮断器が開くと、発電設備の解列用遮断器を開くようになっていてもよい。このようにすれば、識別装置が発電設備と連系している配電系統を識別するまでの間に、配電系統の配電用遮断器のみが開いている状態で発電設備が運転を継続することを防止できる。
【００１５】
この場合、識別装置によって発電設備が連系していると識別されている配電系統の配電用遮断器が開かれることで遮断装置が発電設備の解列用遮断器を開いたときに、発電設備に受電電圧が存在していると、発電設備の解列用遮断器を閉じる投入装置を備えるようにしてもよい。
【００１６】
このようにすれば、識別装置によって発電設備が連系していると識別されている配電系統と、実際に発電設備が連系している配電系統とが異なる場合において、識別装置によって発電設備が連系していると識別されている配電系統の配電用遮断器が開かれることで遮断装置が発電設備の解列用遮断器を開いたとしても、投入装置が発電設備の解列用遮断器を閉じる。
【００１７】
従って、転送遮断装置では、識別装置によって発電設備が連系していると識別されている配電系統と、実際に発電設備が連系している配電系統とが異なる場合において、発電設備の解列用遮断器が誤って開かれた状態が継続することを防止できる。
【００１８】
この場合、識別装置によって発電設備が連系していると識別されていない配電系統の配電用遮断器が開かれたときに、識別装置によって発電設備が連系していると識別されている配電系統の供給電圧の変化量と発電設備の受電電圧の変化量とが対応していなければ、発電設備の解列用遮断器を開く補助遮断装置を備えるようにしてもよい。
【００１９】
このようにすれば、識別装置によって発電設備が連系していると識別されている配電系統と、実際に発電設備が連系している配電系統とが異なる場合において、実際に発電設備が連系している配電系統の配電用遮断器が開いたときに発電設備の解列用遮断器を開くことができる。
【００２０】
従って、識別装置によって発電設備が連系していると識別されている配電系統と、実際に発電設備が連系している配電系統とが異なる場合において、実際に発電設備と連系していない配電系統の配電用遮断器が開かれることで、発電設備の解列用遮断器も開かれることを防止できる。
【発明の効果】
【００２１】
以上のように、本発明の発電施設の転送遮断装置によれば、発電設備が接続されている配電系統の配電用遮断器が開いているときに、当該発電施設の運転が継続することを防止することができるという優れた効果を奏し得る。
【図面の簡単な説明】
【００２２】
【図１】図１は、本発明の一実施形態に係る転送遮断装置が導入されている電力系統の全体概要図である。
【図２】図２は、同実施形態に係る転送遮断装置の全体概要図である。
【図３】図３は、同実施形態に係る転送遮断装置が発電設備の連系している配電系統を識別する動作のフローチャートである。
【図４】図４は、同実施形態に係る転送遮断装置が発電設備の解列用遮断器を開く動作のフローチャートである。
【図５】図５は、同実施形態に係る転送遮断装置の説明図であって、識別装置によって識別されている配電系統と実際に発電設備が連系している配電系統とが同一の配電系統である場合の転送遮断装置の説明図であり、図５Ａは、実際に発電設備が連系している配電系統の遮断器が閉じている状態の説明図であり、図５Ｂは、実際に発電設備が連系している配電系統の遮断器が開かれた状態の説明図であり、図５Ｃは、転送遮断装置が発電設備の解列用遮断器を開いた状態の説明図である。
【図６】図６は、同実施形態に係る転送遮断装置の説明図であって、識別装置によって識別されている配電系統と実際に発電設備が連系している配電系統とが異なる配電系統である場合の転送遮断装置の説明図であり、図６Ａは、識別装置によって識別されている配電系統の遮断器が閉じている状態の説明図であり、図６Ｂは、識別装置によって識別されている配電系統の遮断器が開かれて及び発電設備の遮断器を開いた状態の説明図であり、図６Ｃは、発電設備の遮断器を閉じた状態の説明図である。
【図７】図７は、同実施形態に係る転送遮断装置の説明図であって、識別装置によって識別されている配電系統と実際に発電設備が連系している配電系統とが異なる配電系統である場合の転送遮断装置の説明図であり、図７Ａは、識別装置によって識別されていない配電系統の遮断器が閉じている状態の説明図であり、図７Ｂは、識別装置によって識別されていない配電系統の遮断器が開かれた状態の説明図であり、図７Ｃは、転送遮断装置が発電設備の解列用遮断器を開いた状態の説明図である。
【図８】図８は、同実施形態に係る転送遮断装置の説明図であって、識別装置によって識別されている配電系統と実際に発電設備が連系している配電系統とが同一の配電系統である場合の転送遮断装置の説明図であり、図８Ａは、識別装置によって識別されていない配電系統の遮断器が閉じている状態の説明図であり、図８Ｂは、識別装置によって識別されていない配電系統の遮断器が開かれた状態の説明図である。
【発明を実施するための形態】
【００２３】
以下、本発明の一実施形態に係る転送遮断装置について、添付図面を参照しつつ説明を行う。なお、本実施形態では、図１に示すように、複数の送電系統（本実施形態では、第一の送電系統Ｔ１、第二の送電系統Ｔ２）を有する送電網Ｔと、複数の配電系統（本実施形態では、第一の配電系統Ｄ１、第二の配電系統Ｄ２、第三の配電系統Ｄ３）を有する配電網Ｄとで構成される電力系統（採番しない）に導入されていることを前提として説明を行う。また、図１において、ハッチングを付している開閉器及び遮断器は、閉じている状態を示し、ハッチングを付していない開閉器及び遮断器は、開いている状態を示す。
【００２４】
発電設備Ｇ１転送遮断装置１の説明に先立ち、電力系統についての説明を行う。図１に示すように、送電網Ｔは、複数の送電系統Ｔ１，Ｔ２に加えて、複数の送電系統Ｔ１，Ｔ２に繋がる連系変電所Ｔ３を有している。
【００２５】
第一の送電系統Ｔ１は、発電所（図示しない）に繋がる送電線Ｔ１０を有している。第二の送電系統Ｔ２は、発電所（図示しない）に繋がる送電線Ｔ２０を有している。そして、連系変電所Ｔ３は、第一の送電系統Ｔ１の送電線Ｔ１０と、第二の送電系統Ｔ２の送電線Ｔ２０とのそれぞれに繋がっている。
【００２６】
配電網Ｄは、複数の配電系統Ｄ１，Ｄ２，Ｄ３に加えて、当該複数の配電系統Ｄ１，Ｄ２，Ｄ３のそれぞれと解列用遮断器Ｇ１０を介して繋がる発電設備Ｇ１を備えている。
【００２７】
第一の配電系統Ｄ１は、送電系統Ｔ１の送電線Ｔ１０に繋がる変電所Ｄ１０と、配電用遮断器Ｄ１１を介して変電所Ｄ１０に接続される配電線Ｄ１２とを有している。そして、第一の配電系統Ｄ１は、自身の開閉を行うための開閉器Ｄ１３を有する。
【００２８】
第二の配電系統Ｄ２は、送電系統Ｔ２の送電線Ｔ２０に繋がる変電所Ｄ２０と、配電用遮断器Ｄ２１を介して変電所Ｄ２０に接続される配電線Ｄ２２とを有している。そして、第二の配電系統Ｄ２は、自身の開閉を行うための開閉器Ｄ２３を有する。
【００２９】
第三の配電系統Ｄ３は、送電系統Ｔ２の送電線Ｔ２０に繋がる変電所Ｄ３０と、配電用遮断器Ｄ３１を介して変電所Ｄ３０に接続される配電線Ｄ３２とを有している。そして、第三の配電系統Ｄ３は、自身の開閉を行うための開閉器Ｄ３３を有する。
【００３０】
図２に示すように、転送遮断装置１は、配電用遮断器を有する複数の配電系統Ｄ１，Ｄ２，Ｄ３のそれぞれの供給電圧を監視する第一の監視装置２と、解列用遮断器Ｇ１０を介して前記複数の配電系統Ｄ１，Ｄ２，Ｄ３のそれぞれと繋がる発電設備Ｇ１の受電電圧を監視する第二の監視装置３と、前記複数の配電系統Ｄ１，Ｄ２，Ｄ３のうちの何れか一つの供給電圧が変化したときに、当該配電系統の供給電圧の変化量と発電設備Ｇ１の受電電圧の変化量とが対応していると当該配電系統に発電設備Ｇ１が連系していると識別する識別装置４と、発電設備Ｇ１に連系していると識別されている配電系統の配電用遮断器が開いたときに、発電設備Ｇ１の解列用遮断器Ｇ１０を開く遮断装置５とを備えている。
【００３１】
また、転送遮断装置１は、識別装置４によって発電設備Ｇ１が連系していると識別されている配電系統の配電用遮断器が開かれることで遮断装置５が発電設備Ｇ１の解列用遮断器Ｇ１０を開いたときに、発電設備Ｇ１に受電電圧が存在していると、発電設備Ｇ１の解列用遮断器Ｇ１０を閉じる投入装置６を備えている。そして、転送遮断装置１は、識別装置４によって発電設備Ｇ１が連系していると識別されていない配電系統の配電用遮断器が開かれたときに、識別装置４によって発電設備Ｇが連系していると識別されている配電系統の変化量と発電設備Ｇ１の変化量とが対応していなければ発電設備Ｇ１の解列用遮断器Ｇ１０を開く補助遮断装置７を備えている。さらに、転送遮断装置１は、発電設備Ｇ１が連系している配電系統を識別装置４が識別していない状態で、複数の配電系統の少なくとも何れか一つの配電用遮断器が開かれると、発電設備Ｇ１の解列用遮断器Ｇ１０を開く強制遮断装置８を備えている。
【００３２】
第一の監視装置２は、複数の配電系統Ｄ１，Ｄ２，Ｄ３のそれぞれの供給電圧を監視するようになっている。すなわち、第一の監視装置２は、所定の時間間隔で複数の配電系統Ｄ１，Ｄ２，Ｄ３のそれぞれの供給電圧を検出するようになっている。そのため、第一の監視装置２は、複数の配電系統Ｄ１，Ｄ２，Ｄ３のそれぞれの供給電圧の変化量を把握することができるようになっている。
【００３３】
さらに、第一の監視装置２は、複数の配電系統Ｄ１，Ｄ２，Ｄ３の少なくとも何れか一つの供給電圧が変化したときに、当該配電系統の供給電圧の変化量を識別装置４（後述する比較部）に送信するようになっている。
【００３４】
第二の監視装置３は、発電設備Ｇ１に接続されている。すなわち、第二の監視装置３は、所定の時間間隔で発電設備Ｇ１の受電電圧を検出するようになっている。そのため、第二の監視装置３は、発電設備Ｇ１の受電電圧の変化量を把握することができるようになっている。
【００３５】
さらに、第二の監視装置３は、複数の配電系統Ｄ１，Ｄ２，Ｄ３の少なくとも何れか一つの供給電圧が変化したときに、発電設備Ｇ１の供給電圧の変化量を識別装置４（後述する比較部）に送信するようになっている。
【００３６】
識別装置４は、第一の監視装置２から送信される供給電圧の変化量と、第二の監視装置３から送信される受電電圧の変化量とを比較する比較部４０と、比較部４０の比較結果に基づいて供給電圧が変化した配電系統に対して発電設備Ｇ１が連系しているか否かを判断する判断部４１とを備える。
【００３７】
比較部４０は、上述のように、第一の監視装置２から送信される供給電圧の変化量と、第二の監視装置３から送信される受電電圧の変化量とを比較するようになっている。すなわち、比較部４０は、複数の配電系統Ｄ１，Ｄ２，Ｄ３の何れか一つの供給電圧が変化したときに、当該配電系統の供給電圧の変化量と発電設備Ｇ１の受電電圧の変化量とを比較するようになっている。また、比較部４０は、供給電圧の変化量と受電電圧の変化量とが対応していると、判断部４１に信号を送信するようになっている。
【００３８】
判断部４１は、比較部４０からの信号を受信すると、供給電圧が変化した配電系統に対して発電設備Ｇ１が連系していると判断するようになっている。これにより、識別装置４では、発電設備Ｇ１が連系している配電系統を識別できるようになっている。また、識別装置４では、発電設備Ｇ１の連系している配電系統を識別すると、遮断装置５（遮断装置５の開閉検知部５０）に信号を送信するようになっている。
【００３９】
遮断装置５は、複数の配電系統Ｄ１，Ｄ２，Ｄ３のそれぞれの配電用遮断器Ｄ１１，Ｄ２１，Ｄ３１の開いた状態を検知する開閉検知部５０と、発電設備Ｇ１の解列用遮断器Ｇ１０を開くための遮断指令部５１とを備えている。
【００４０】
開閉検知部５０は、識別装置４からの信号を受信している状態で（識別装置４が発電設備Ｇ１の連系している配電系統を識別している状態で）複数の配電用遮断器Ｄ１１，Ｄ２１，Ｄ３１の何れか一つが開いたことを検知すると、遮断指令部５１に信号を送信するようになっている。また、開閉検知部５０は、識別装置４からの信号を受信していない状態で（識別装置４が発電設備Ｇ１の連系している配電系統を識別していない状態で）複数の配電用遮断器Ｄ１１，Ｄ２１，Ｄ３１の少なくとも何れか一つが開いたことを検知すると、強制遮断装置８に信号を送信するようになっている。
【００４１】
遮断指令部５１は、開閉検知部５０からの信号を受信すると、発電設備Ｇ１の解列用遮断器Ｇ１０を開くようになっている。
【００４２】
投入装置６は、識別装置４によって発電設備Ｇ１が連系していると識別されている配電系統の配電用遮断器が開かれることで遮断装置５が発電設備Ｇ１の解列用遮断器Ｇ１０を開いたときに、発電設備Ｇ１の受電電圧の有無を確認する電圧確認部６０と、開かれた発電設備Ｇ１の解列用遮断器Ｇ１０を閉じるための投入指令部６１とを備えている。
【００４３】
電圧確認部６０は、発電設備Ｇ１に受電電圧が存在していると、投入指令部６１に信号を送信するようになっている。そして、投入指令部６１は、電圧確認部６０からの信号を受信すると発電設備Ｇ１の解列用遮断器Ｇ１０を閉じるようになっている。
【００４４】
補助遮断装置７は、識別装置４によって発電設備Ｇ１が連系していると識別されている配電系統の配電用遮断器が開かれたときに、当該配電系統の変化量と発電設備Ｇ１の変化量とを比較する検証部７０と、該検証部７０が配電系統の変化量と発電設備Ｇ１の変化量とを比較した結果に基づいて発電設備Ｇ１の解列用遮断器Ｇ１０を開く補助指令部７１とを備える。
【００４５】
検証部７０は、比較した配電系統（識別装置４によって発電設備Ｇ１が連系していると識別されている配電系統）の変化量と発電設備Ｇ１の変化量とが対応していなければ、補助指令部７１に信号を送信する。補助指令部７１は、検証部７０からの信号を受信すると、発電設備Ｇ１の解列用遮断器Ｇ１０を開くようになっている。
【００４６】
強制遮断装置８は、開閉検知部５０からの信号を受信すると、発電設備Ｇ１の解列用遮断器Ｇ１０を開くようになっている。
【００４７】
本実施形態に係る転送遮断装置１は、以上の通りである。続いて、転送遮断装置１の動作について、添付図面を参照しつつ説明を行う。なお、図５〜図８において、二点鎖線が併記されている配電系統は、識別装置４によって発電設備Ｇ１が連系していると識別されている配電系統である。また、図１と同様に、図５〜図８において、ハッチングを付している開閉器及び遮断器は、閉じている状態を示し、ハッチングを付していない開閉器及び遮断器は、開いている状態を示す。
【００４８】
本実施形態に係る転送遮断装置１では、発電設備Ｇ１が連系している配電系統を識別する動作（以下、識別動作とする）と、発電設備Ｇ１を配電系統から解列する動作（以下、解列動作とする）とを行うようになっている。
【００４９】
まず、転送遮断装置１の識別動作について説明する。転送遮断装置１では、複数の配電系統Ｄ１，Ｄ２，Ｄ３の少なくとも何れか一つの供給電圧が変化したときに（例えば、変電所がタップ動作を行うことで配電系統の供給電圧が変化したときに）、当該配電系統の供給電圧の変化量と、発電設備Ｇ１の受電電圧の変化量とを比較したうえで、当該配電系統に発電設備Ｇ１が連系しているか否かを識別する。
【００５０】
より具体的に説明すると、図３に示すように、転送遮断装置１は、複数の配電系統Ｄ１，Ｄ２，Ｄ３の少なくとも何れか一つの供給電圧が変化したときに識別動作を開始する。
【００５１】
供給電圧が変化した配電系統が一つである場合（Ｓ１０でＹＥＳの場合）、第一の監視装置２が比較部４０に供給電圧の変化量を送信し、第二の監視装置３が比較部４０に受電電圧の変化量を送信する。
【００５２】
第一の監視装置２から送信された供給電圧の変化量と第二の監視装置３から送信された送信された受電電圧の変化量とが対応している場合（Ｓ１１でＹＥＳの場合）、比較部４０が判断部４１に信号を送信する。そして、判断部４１は、比較部４０からの信号を受信すると、供給電圧が変化した配電系統に発電設備Ｇ１が連系していると判断し（Ｓ１２）、遮断装置５の開閉検知部５０に信号を送信して識別動作を終了する。これにより、転送遮断装置１は、識別装置４が発電設備Ｇ１の連系している配電系統を識別している状態になる。
【００５３】
供給電圧の変化量と受電電圧の変化量とが対応していない場合（Ｓ１１でＮＯの場合）、識別装置４では、比較部４０から判断部４１に信号が送信されない。そのため、転送遮断装置１は、発電設備Ｇ１と連系している配電系統を識別装置４が識別することなく識別動作を終了する。
【００５４】
複数の配電系統の供給電圧が変化した場合（Ｓ１０でＮＯの場合）、第一の監視装置２は、識別装置４の比較部４０に供給電圧の変化量を送信しない。また、第一の監視装置２と同様に、第二の監視装置３も、識別装置４の比較部４０に受電電圧の変化量を送信しない。そのため、転送遮断装置１は、発電設備Ｇ１と連系している配電系統を識別装置４が識別することなく識別動作を終了する。
【００５５】
次に、転送遮断装置１の解列動作について説明する。図４に示すように、転送遮断装置１は、配電系統の配電用遮断器が開いたことを開閉検知部５０が検知したときに解列動作を開始する。
【００５６】
識別装置４によって、発電設備Ｇ１と連系している配電系統が識別されている状態で（Ｓ２０でＹＥＳの状態で）、当該配電系統（以下、識別系統とする）が開いた場合（Ｓ２１でＹＥＳの場合）、開閉検知部５０が遮断指令部５１に信号を送信する。これにより、発電設備Ｇ１の解列用遮断器Ｇ１０が開かれる（Ｓ２２）。このように、転送遮断装置１では、識別系統の配電用遮断器が開いたときに、発電設備Ｇ１の解列用遮断器Ｇ１０を開くようになっている。
【００５７】
識別系統の配電用遮断器が開かれたとき、転送遮断装置１では、識別系統と実際に発電設備Ｇ１が連系している配電系統(以下、連系系統とする)とが同一の配電系統である場合（図５Ａに示す状態の場合）に加えて、識別系統と連系系統とが異なる配電系統である場合（図６Ａに示す状態の場合）においても発電設備Ｇ１の解列用遮断器Ｇ１０を開くことになる。すなわち、識別系統と連系系統とが異なる配電系統である状態において、識別系統の配電用遮断器が開かれると、図６Ｂに示すように、連系系統の配電用遮断器が開かれていないにも拘わらず発電設備Ｇ１の解列用遮断器Ｇ１０を開くことになる。
【００５８】
そのため、転送遮断装置１では、識別系統の配電用遮断器が開かれることで発電設備Ｇ１の解列用遮断器Ｇ１０を開いたときに発電設備Ｇ１に受電電圧が存在していると、遮断装置５によって開かれた発電設備Ｇ１の解列用遮断器Ｇ１０を投入装置６で閉じるようになっている。
【００５９】
より具体的に説明すると、図５Ａ〜図５Ｃに示すように、識別系統と連系系統とが同一の配電系統である状態で（識別系統と連系系統とが共に第一の配電系統Ｄ１である状態で）、第一の配電系統Ｄ１の配電用遮断器Ｄ１１が開かれることで発電設備Ｇ１の解列用遮断器Ｇ１０が開かれたとき（Ｓ２２のとき）、電圧確認部６０が発電設備Ｇ１の受電電圧を確認する（Ｓ２３）。そして、電圧確認部６０が発電設備Ｇ１に受電電圧が無いと判断した場合（Ｓ２３でＹＥＳの場合）、転送遮断装置１は、解列動作を終了する。
【００６０】
図６Ａ及び図６Ｂに示すように、識別系統と連系系統とが異なる配電系統である状態で（識別系統が第一の配電系統Ｄ１で、連系系統が第二の配電系統Ｄ２である状態で）、第一の配電系統Ｄ１の配電用遮断器Ｄ１１が開かれることで発電設備Ｇ１の解列用遮断器Ｇ１０が開かれたとき（Ｓ２２のとき）も、電圧確認部６０が発電設備Ｇ１の受電電圧を確認する（Ｓ２３）。
【００６１】
このとき、電圧確認部６０は、第二の配電系統Ｄ２から電力が供給されているため、発電設備Ｇ１に受電電圧が存在していると判断する（Ｓ２３でＮＯ）。そして、電圧確認部６０が投入指令部６１に信号を送信する。これにより、図６Ｃに示すように、転送遮断装置１は、遮断装置５によって開かれた解列用遮断器Ｇ１０を投入装置６（投入指令部６１）によって閉じた後に（Ｓ２３０）、解列動作を終了する。
【００６２】
このように、転送遮断装置１では、識別系統と連系系統とが同一の配電系統である状態で識別系統（連系系統）の配電用遮断器が開かれると、遮断装置５が発電設備Ｇ１の解列用遮断器Ｇ１０を開くようになっている。そして、転送遮断装置１では、識別系統と連系系統とが異なる配電系統である状態で識別系統（連系系統）の配電用遮断器が開かれると、遮断装置５によって開かれた発電設備Ｇ１の解列用遮断器Ｇ１０を投入装置６が閉じるようになっている。
【００６３】
さらに、識別装置４によって、発電設備Ｇ１と連系している配電系統が識別されている状態で（Ｓ２０でＹＥＳの状態で）、識別系統でない配電系統の配電用遮断器が開かれた場合（Ｓ２１でＮＯの場合）、転送遮断装置１では、発電設備Ｇ１が連系している配電系統の供給電圧の変化量と発電設備Ｇ１の供給電圧の変化量とが対応していなければ、補助遮断装置７が発電設備Ｇ１の解列用遮断器Ｇ１０を開くようになっている。
【００６４】
より具体的に説明すると、図７Ａ及び図７Ｂに示すように、識別系統と連系系統とが異なる配電系統である状態で（識別系統が第一の配電系統Ｄ１であり、連系系統が第二の配電系統Ｄ２である状態で）、識別系統でない配電系統の配電用遮断器（本実施形態では、第二の配電系統Ｄ２の配電用遮断器Ｄ２１）が開かれた場合、検証部７０が識別系統の供給電圧の変化量と受電電圧の変化量とを比較する（Ｓ２１０）。
【００６５】
このような場合、識別系統の供給電圧の変化量と受電電圧の変化量とが対応していないため（Ｓ２１０でＮＯ）、検証部７０が補助指令部７１に信号を送信する。これにより、転送遮断システム１は、発電装置Ｇ１の遮断器Ｇ１０を開き（Ｓ２１１）、解列動作を終了する。
【００６６】
そして、図８Ａ及び図８Ｂに示すように、識別系統と連系系統とが同一の配電系統である状態で（識別系統と連系系統が共に第一の配電系統Ｄ１である状態で）、識別系統でない配電系統の配電用遮断器（本実施形態では、第二の配電系統Ｄ２の配電用遮断器Ｄ２１）が開かれた場合も、検証部７０が識別系統の供給電圧の変化量と受電電圧の変化量とを比較する（Ｓ２１０）。
【００６７】
このような場合、識別系統の供給電圧の変化量と受電電圧の変化量とが対応しているため（Ｓ２１０でＹＥＳ）、検証部７０は、補助指令部７１に信号を送信しない。これにより、転送遮断システム１は、発電装置Ｇ１の遮断器Ｇ１０を開かずに、解列動作を終了する。
【００６８】
発電設備Ｇ１が連系している配電系統を識別装置４が識別している場合（Ｓ２０でＹＥＳの状態で）、発電設備Ｇ１が連系していると識別されている配電系統の配電用遮断器が開いた場合（Ｓ２１でＹＥＳの場合）、開閉検知部５０が遮断指令部５１に信号を送信する。これにより、発電設備Ｇ１の解列用遮断器Ｇ１０が開かれる（Ｓ２２）。
【００６９】
発電設備Ｇ１が連系している配電系統を識別装置４が識別していない場合（Ｓ２０でＮＯの場合）、強制遮断装置８によって発電設備Ｇ１の解列用遮断器Ｇ１０が開かれる。これにより、転送遮断装置１は、識別装置が発電設備Ｇ１と連系している配電系統を識別するまでの間に、配電系統の配電用遮断器のみが開いている状態で発電設備Ｇ１が運転を継続することを防止できる。
【００７０】
以上のように、転送遮断装置１は、発電設備Ｇ１が連系している配電系統の配電用遮断器が開いたときに、発電設備Ｇ１の解列用遮断器Ｇ１０を開くことができる。従って、転送遮断装置１は、発電設備Ｇ１が接続されている配電系統の配電用遮断器が開いているときに、当該発電施設の運転が継続することを防止することができるという優れた効果を奏し得る。
【００７１】
また、転送遮断装置１では、複数の配電系統の供給電圧が変化した場合（Ｓ１０でＮＯの場合）、第一の監視装置２が識別装置４の比較部４０に供給電圧の変化量を送信せず、第二の監視装置３も識別装置４の比較部４０に受電電圧の変化量を送信しないようになっている。
【００７２】
そのため、転送遮断装置１では、複数の配電系統Ｄ１，Ｄ２，Ｄ３のそれぞれの供給電圧が変化した場合（例えば、送電網Ｔの送電系統Ｔ１，Ｔ２のそれぞれの電圧が変化することによって、複数の配電系統Ｄ１，Ｄ２，Ｄ３のそれぞれの供給電圧が変化した場合）、転送遮断装置１は、発電設備Ｇ１と連系している配電系統を識別装置４が識別することなく識別操作を終了する。従って、複数の配電系統Ｄ１，Ｄ２，Ｄ３のそれぞれの供給電圧が変化した際に、発電設備Ｇ１が連系している配電系統を誤って識別することを防止できる。
【００７３】
そして、転送遮断装置１では、識別系統の配電用遮断器が開いたときに、発電設備Ｇ１の解列用遮断器Ｇ１０を開くようになっているため、識別系統の配電用遮断器のみが開いている状態で発電設備Ｇ１が運転（所謂、単独運転）を継続することを防止できる。
【００７４】
さらに、転送遮断装置１では、識別装置４によって発電設備Ｇ１が連系していると識別されている配電系統の配電用遮断器が開かれることで遮断装置５が発電設備Ｇ１の解列用遮断器Ｇ１０を開いたときに、発電設備Ｇ１に受電電圧が存在していると、発電設備Ｇ１の解列用遮断器Ｇ１０を閉じる投入装置を備えている。そのため、転送遮断装置１では、識別系統と連系系統とが異なる配電系統である状態で連系系統の配電用遮断器が開かれると、遮断装置５によって開かれた発電設備Ｇ１の解列用遮断器Ｇ１０を投入装置６が閉じることができる。従って、転送遮断装置１では、識別系統と連系系統とが異なる配電系統である場合において、発電設備Ｇ１の解列用遮断器Ｇ１０が誤って開かれた状態が継続することを防止できる。
【００７５】
また、転送遮断装置１では、識別装置４によって発電設備Ｇ１が連系していると識別されていない配電系統の配電用遮断器が開かれたときに、識別装置４によって発電設備Ｇが連系していると識別されている配電系統の供給電圧の変化量と発電設備Ｇ１の受電電圧の変化量とが対応していなければ発電設備Ｇ１の解列用遮断器Ｇ１０を開く補助遮断装置７を備えている。そのため、転送遮断装置１では、識別系統と連系系統とが異なる場合において、連系系統の配電用遮断器が開かれたときに、発電設備Ｇ１の解列用遮断器Ｇ１０を開くことができる。従って、転送遮断装置１では、識別系統と連系系統とが異なる場合において、実際に連系されていない配電系統の配電用遮断器が開かれることで、発電設備Ｇ１の解列用遮断器Ｇ１０も開かれてしまうことを防止できる。
【００７６】
尚、本発明に係る転送遮断装置は、上記実施形態に限定されるものではなく、本発明の要旨を逸脱しない範囲内において、種々変更を加え得ることは勿論である
【００７７】
上記実施形態において、特に言及しなかったが、複数の配電系統Ｄ１，Ｄ２，Ｄ３のそれぞれに繋がる発電設備Ｇ１が同期機の場合、転送遮断装置１は、配電系統の無効電力が変化したときに、第一の監視装置２が当該配電系統の供給電圧の変化量を識別装置４の比較部４０に送信し、第二の監視装置３が発電設備Ｇ１の受電電圧の変化量を識別装置４の比較部４０に送信するようになっていればよい。
【００７８】
また、上記実施形態において、特に言及しなかったが、識別装置４は、前記複数の配電系統Ｄ１，Ｄ２，Ｄ３の何れか一つの供給電圧が変化したときに、当該配電系統の供給電圧の変化量が発電設備Ｇ１の受電電圧の変化量に対して所定の割合の範囲内で増減していたとしても、当該配電系統に発電設備Ｇ１が連系していると識別するようになっていてもよい。
【００７９】
より具体的に説明すると、識別装置４の比較部４０は、第二の監視装置３から送信された発電設備Ｇ１の受電電圧の変化量が第一の監視装置２から送信される受電電圧の変化量に対して５０％程度増減していても、判断部４１に信号を送信するようになっていてもよい。
【００８０】
また、上記実施形態において、遮断装置５の開閉検知部５０は、複数の配電用遮断器Ｄ１１，Ｄ２１，Ｄ３１の何れか一つが開いたことを検知すると、遮断指令部５１に信号を送信するようになっていたが、これに限定されるものではなく、例えば、遮断装置５の開閉検知部５０は、複数の配電用遮断器が開いたときに、遮断指令部５１に信号を送信するようになっていてもよい。
【００８１】
このようにする場合、補助遮断装置７は、配電用遮断器が開いた配電系統のそれぞれの供給電圧の変化量と、発電設備Ｇ１の受電電圧の変化量との比較結果に基づいて発電設備Ｇ１の解列用遮断器を開くようにしてもよい。
【符号の説明】
【００８２】
１…転送遮断装置、２…監視装置、３…監視装置、４…識別装置、５…遮断装置、６…投入装置、７…補助遮断装置、８…強制遮断装置、４０…比較部、４１…判断部、５０…開閉検知部、５１…遮断指令部、６０…電圧確認部、６１…投入指令部、７０…検証部、７１…補助指令部、Ｄ…配電網、Ｄ１，Ｄ２，Ｄ３…配電系統、Ｄ１０，Ｄ２０，Ｄ３０…変電所、Ｄ１１，Ｄ２１，Ｄ３１…配電用遮断器、Ｄ１２，Ｄ２２，Ｄ３２…配電線、Ｄ１３，Ｄ２３，Ｄ３３…開閉器、Ｇ１…発電設備、Ｇ１０…解列用遮断器、Ｔ…送電網、Ｔ１，Ｔ２…送電系統、Ｔ３…連系変電所、Ｔ１０，Ｔ２０…送電線
【図１】
0005502164.tif 000002
【図２】
0005502164.tif 000003
【図３】
0005502164.tif 000004
【図４】
0005502164.tif 000005
【図５】
0005502164.tif 000006
【図６】
0005502164.tif 000007
【図７】
0005502164.tif 000008
【図８】
0005502164.tif 000009